(57)【要約】【課題】最上段の祭壇に設置される飾り台の前面に飾られる飾り物の交換作業を容易に行うことができるようにした葬祭用祭壇装置を提供する。【解決手段】階段状に配置された最上段の祭壇４の上面に故人に関係する飾り物を飾る飾り台６を設置してなる葬祭用祭壇装置において、最上段の祭壇４の上面に載置される基板１０に回転台１１を設け、当該回転台１１に飾り台６を載設することにより、飾り台６を最上段の祭壇４の上面に回転可能に設ける。【選択図】図３
2019170882.tif 000002
【特許請求の範囲】
【請求項１】
複数の祭壇が階段状に配置され、最上段の前記祭壇の上面に故人に関係する飾り物を飾る飾り台を設置してなる葬祭用祭壇装置において、
前記最上段の祭壇の上面に回転台を設け、当該回転台に前記飾り台を載設することにより、前記飾り台を前記最上段の祭壇の上面に回転可能に設けたことを特徴とする葬祭用祭壇装置。
【請求項２】
前記回転台は、前記最上段の祭壇の上面に形成された凹部内に設けられていることを特徴とする請求項１に記載の葬祭用祭壇装置。
【請求項３】
前記回転台または前記最上段の祭壇と前記飾り台との対向部のいずれか一方には、前記飾り台が１８０度回転したところで回り止めされるストッパ機構が設けられていることを特徴とする請求項１または２に記載の葬祭用祭壇装置。
【請求項４】
複数の祭壇が階段状に配置され、最上段の前記祭壇の上面に故人に関係する飾り物を飾る飾り台を載置してなる葬祭用祭壇装置において、
前記最上段の祭壇の上面には、左右１対のガイドレールと当該１対のガイドレールに沿って前後方向に移動可能なスライド部材が設けられ、
前記スライド部材の上面には回転台が設けられ、当該回転台に前記飾り台を回転可能に載設したことを特徴とする葬祭用祭壇装置。
【請求項５】
前記１対のガイドレールは、前記最上段の祭壇の上面に形成された凹部内に設けられていることを特徴とする請求項４に記載の葬祭用祭壇装置。
【請求項６】
前記最上段の祭壇の前端部には、前記飾り台を前限の定位置において回り止めする回り止めストッパが設けられていることを特徴とする請求項４または５に記載の葬祭用祭壇装置。
【請求項７】
前記スライド部材と前記最上段の祭壇には、前記スライド部材を後限位置で停止させる後限ストッパが設けられていることを特徴とする請求項４ないし６のいずれかに記載の葬祭用祭壇装置。
【発明の詳細な説明】
【技術分野】
【０００１】
本発明は、葬儀の際に使用される葬祭用祭壇装置に関する。
【背景技術】
【０００２】
葬儀場等に設置される祭壇装置は、複数の祭壇を階段状に配置して使用されるのが一般的である。このような階段状の祭壇装置の中には、最上段の祭壇の上面の中央部に、故人に関係する飾り物、例えば宗派の題目や本尊などを表した掛軸や洋風の葬儀の場合の飾り等を飾るための飾り台を設置したものがある(例えば特許文献１参照)。
【先行技術文献】
【特許文献】
【０００３】
【特許文献１】特開平８−１７３３０９号公報
【発明の概要】
【発明が解決しようとする課題】
【０００４】
１日に葬儀が複数重なる場合には、設置された祭壇装置をそのまま使用することがあるが、特許文献１に記載の祭壇装置のように、飾り台の前面に宗派の題目や本尊などを表した掛軸等が飾られている場合、故人の宗派等の違いや洋風の葬儀の要望によって、題目や本尊の異なる掛軸等に交換する必要がある。飾り台に遺影写真を飾る場合にも当然交換する必要がある。
【０００５】
しかしながら、特許文献１に記載されている飾り台は、最奥部の最上段の祭壇の上面の中央部に設置されているので、飾り台の前面に飾られている掛軸等の交換を前方から行うのは難しく、また祭壇の裏側に回り込んで脚立等を使うにしても、その交換作業は非常に面倒である。
【０００６】
本発明は、このような問題点に着目してなされたもので、最上段の祭壇に設置される飾り台の前面に飾られる飾り物の交換作業を容易に行うことができるようにした葬祭用祭壇装置を提供することを目的としている。
【課題を解決するための手段】
【０００７】
上記課題を解決するために、本発明の葬祭用祭壇装置は、
複数の祭壇が階段状に配置され、最上段の前記祭壇の上面に故人に関係する飾り物を飾る飾り台を設置してなる葬祭用祭壇装置において、
前記最上段の祭壇の上面に回転台を設け、当該回転台に前記飾り台を載設することにより、前記飾り台を前記最上段の祭壇の上面に回転可能に設けたことを特徴としている。
この特徴によれば、祭壇の前方からの飾り物の交換が困難であっても、飾り台を１８０度回転させて、前面に飾られた飾り物を後方に向けることができるので、祭壇装置の裏側から飾り物を容易に交換することができる。
【０００８】
前記回転台は、前記最上段の祭壇の上面に形成された凹部内に設けられていることを特徴としている。
この特徴によれば、回転台が最上段の祭壇の上面から大きく露出しないので、飾り台と最上段の祭壇との間に大きな隙間が形成されることはなく、見栄えが向上する。
【０００９】
前記回転台または前記最上段の祭壇と前記飾り台との対向部のいずれか一方には、前記飾り台が１８０度回転したところで回り止めされるストッパ機構が設けられていることを特徴としている。
この特徴によれば、飾り台が定位置において妄りに回転するのが防止されるとともに、１８０度回転させた位置において飾り物の交換作業を安全に行うことができる。
【００１０】
上記課題を解決するために、本発明の葬祭用祭壇装置は、
複数の祭壇が階段状に配置され、最上段の前記祭壇の上面に故人に関係する飾り物を飾る飾り台を載置してなる葬祭用祭壇装置において、
前記最上段の祭壇の上面には、左右１対のガイドレールと当該１対のガイドレールに沿って前後方向に移動可能なスライド部材が設けられ、前記スライド部材の上面には回転台が設けられ、当該回転台に前記飾り台を回転可能に載設したことを特徴としている。
この特徴によれば、スライド部材及びそれに回転台を介して載設された飾り台を後方に移動させてから飾り台を１８０度回転させ、前面に飾られた飾り物を後方に向けることができるので、飾り物の交換作業を極めて容易に行うことができる。
【００１１】
前記１対のガイドレールは、前記最上段の祭壇の上面に形成された凹部内に設けられていることを特徴としている。
この特徴によれば、ガイドレールが隠蔽されるとともに、回転台も最上段の祭壇の上面から大きく露出しないので、飾り台と最上段の祭壇との間に大きな隙間が形成されることはなく、見栄えが向上する。
【００１２】
前記最上段の祭壇の前端部には、前記飾り台を前限の定位置において回り止めする回り止めストッパが設けられていることを特徴としている。
この特徴によれば、飾り台が定位置において妄りに回転するのが防止される。
【００１３】
前記スライド部材と前記最上段の祭壇には、前記スライド部材を後限位置で停止させる後限ストッパが設けられていることを特徴としている。
この特徴によれば、後方に移動させた飾り台を後限位置で停止させることができるので、誤って飾り台を落下させるおそれはない。
【図面の簡単な説明】
【００１４】
【図１】本発明の実施例１における葬祭用祭壇装置の正面図である。
【図２】同じく、葬祭用祭壇装置の要部の拡大斜視図である。
【図３】同じく、葬祭用祭壇装置の要部の分解斜視図である。
【図４】図３のIV−IV線に沿う拡大縦断面図である。
【図５】回転台にストッパ機構を設けた例の要部の拡大縦断面図である。
【図６】本発明の実施例２における葬祭用祭壇装置の要部の分解斜視図である。
【図７】同じく、飾り台を後方の後限位置まで移動したときの要部の側面図である。
【発明を実施するための形態】
【００１５】
本発明に係る葬祭用祭壇装置を実施するための形態を実施例に基づいて以下に説明する。
【実施例１】
【００１６】
実施例に係る葬祭用祭壇装置につき、図１から図５を参照して説明する。以下、葬祭用祭壇装置の正面側を前、裏面側を後とする。図１から図３に示されるように、葬祭用祭壇装置(以下、祭壇装置と略称する)１は、最下段の第１祭壇２と、中間段の第２祭壇３と、最上段の第３祭壇４とを備え、それらを階段状に配置して葬儀場等に設置される。なお、各祭壇２〜４の設置作業や、第３祭壇４への後述する飾り台６の設置作業を容易とするために、祭壇装置１は、図示しない葬儀場等の壁面から前方に離間させて設置される。
【００１７】
第２祭壇３の中央部には、故人の遺影写真５が飾られ、第３祭壇４の上面の中央部には、箱形の主飾り台(飾り輿と称する場合もある)６が載置され、この主飾り台６を挟む左右両側には、主飾り台６よりも小型の箱形の副飾り台７，７が載置されている。また、副飾り台７，７の側方には、３個ずつの灯具セット８，８が載置されている。
【００１８】
主飾り台６の前面板６ａ（図２参照）の中央上部には、故人に関係する飾り物、例えば本実施例では、故人の宗派に関係する題目が表された掛軸９が掛けられている。なお、飾り物としては、本尊を表した掛軸や遺影写真などの場合や、洋風の葬儀に用いられる飾りなどの場合もある。
【００１９】
図３に示すように、第３祭壇４の上面には長方形の基板１０が載置され、この基板１０と主飾り台６との間に介設した回転台１１により、主飾り台６は、基板１０を介して第３祭壇４の上面に回転可能に設置されている。
【００２０】
回転台１１は、中央部が円形に開口された方形の下部回転板１１ａ及び上部回転板１１ｂと、それらの間に挟入された複数の鋼球１１ｃ(図５参照)とからなる公知のもので、下部回転板１１ａと上部回転板１１ｂは、上下に分離不能として互いに相対回転自在に組み付けられている。
【００２１】
下部回転板１１ａの四隅部は、基板１０の中央部上面に形成された方形の凹部１２の底面に、上部回転板１１ｂが基板１０の上面より僅かに上方に突出するようにして、４個のねじ１３により固定されている。上部回転板１１ｂの四隅部は、主飾り台６の底板６ｂの中央部下面に、４個のねじ１３により固定されている。
下部回転板１１ａを凹部１２内に固定すると、回転台１１が第３祭壇４の上面から大きく露出しないので、主飾り台６と第３祭壇４との間に大きな隙間が形成されず、見栄えが向上する。
【００２２】
主飾り台６の両側には、副飾り台７，７が配置されているので、両副飾り台７によって主飾り台６は回り止めされるが、副飾り台７を使用しない場合も考えられる。この場合を想定して、基板１０の左右の両端部には、１対のストッパ機構１４，１４が設けられている。このストッパ機構１４，１４は、主飾り台６の前面板６ａが前方または後方を向いて停止されるように、主飾り台６が１８０度回転したところで回り止めするものである。
【００２３】
図４の拡大断面図にも示すように、ストッパ機構１４(左右同一構造につき一方のみ図示する)は、基板１０に形成された上方に開口する凹孔１５に圧嵌された有底円筒状のボール保持筒１６と、このボール保持筒１６内に上下に移動可能に嵌合され、ボール保持筒１６の上端部をカシメて抜け止めされた鋼製ボール１７と、このボール１７を上方に付勢するように、ボール保持筒１６内に収容された圧縮コイルばね１８とからなっている。
【００２４】
主飾り台６の底板６ｂの下面の左右両端部には、左右のストッパ機構１４のボール１７が出没可能に嵌合される上向きの凹溝１９，１９が形成され、凹溝１９にボール１７が進入することにより、主飾り台６は、その前面板６ａが前方または後方を向いた位置で回り止めされる。なお、本実施例では、主飾り台６が安定的に停止されるように、ストッパ機構１４を左右１対設けているが、一方のストッパ機構１４を省略して実施することもある。
【００２５】
また、この例とは反対に、底板６ｂ側にストッパ機構１４を、基板１０側に凹溝１９を設けてもよい。さらに、図５に示すように、ストッパ機構１４を回転台１１の下部回転板１１ａの端部に設け、ボール１７を上部回転板１１ｂの下面に設けた凹溝１９に嵌合させて、主飾り台６が１８０度回転したところで回り止めされるようにしてもよい。
【００２６】
次に、実施例１の祭壇装置１の使用例について説明する。
前述したように、１日に葬儀が複数重なる場合には、設置された祭壇装置をそのまま使用することがあるが、この場合、主飾り台６の前面板６ａに掛けられた掛軸９等の飾り物を、故人の宗教や宗派などの違いによって交換する必要性が生じる。
しかしながら、主飾り台６は、最奥部の第３祭壇４の上面に設置され、高さも高いので、掛軸９等の飾り物の交換を前方から行うことは困難である。
【００２７】
実施例１の祭壇装置１における主飾り台６は、図２に矢印で示すように、回転台１１を介して最上段の第３祭壇４の上面に回転可能に設置されているので、主飾り台６を１８０度回転させ、前面板６ａ及びそれに掛けられた掛軸９を後方に向けることができる。そのため、祭壇装置１の裏側から脚立等を使用して掛軸９等を容易に交換することができる。その際、主飾り台６は、ストッパ機構１４により回り止めされているので、掛軸９等の交換作業を安全に行うことができる。
【実施例２】
【００２８】
次に、図６及び図７を参照して、本発明の祭壇装置１の実施例２について説明する。なお、上述した実施例１と同様の部材には、同じ符号を付してその詳細な説明を省略する。
【００２９】
図６は、主飾り台６の要部の分解斜視図を示すもので、板厚を若干大とした基板１０の中央部の上面には、後端が解放された凹部２０が形成され、この凹部２０における左右に対向する内側面には、凹部２０の前後長とほぼ等しい長さのコ字状をなす左右１対のガイドレール２１，２１が、図示しないねじにより対向状に固定されている。
【００３０】
ガイドレール２１，２１には、平板状のスライド部材２２の左右両端部が、前後方向に移動可能に嵌合されている。スライド部材２２の前後寸法は、ガイドレール２１の前後寸法とほぼ等しい寸法とされている。
【００３１】
スライド部材２２の上面の中央部には、実施例１と同様の回転台１１における下部回転板１１ａの四隅部が、上部回転板１１ｂが凹部２０及びガイドレール２１の上面よりも僅かに上方に突出するようにして、ねじ１３により固定されている。上部回転板１１ｂの四隅部は、主飾り台６の底板６ｂの中央部下面に、４個のねじ１３により固定されている。なお、回転台１１には、図５に示すようなストッパ機構１４が設けられ、主飾り台６が１８０度回転したところで回り止めされるようになっている。
【００３２】
ガイドレール２１は、凹部２０の内側面に固定されているので、当該ガイドレール２１が隠蔽されるとともに、ガイドレール２１に嵌合されたスライド部材２２及びそれに設けた回転台１１も最上段の第３祭壇４の上面から大きく露出しないので、主飾り台６と第３祭壇４との間に大きな隙間が形成されることはなく、見栄えが向上する。
【００３３】
ガイドレール２１の後端部には、ストッパ突部２３が内向きに突設され、また、スライド部材２２の上面には、ストッパ２３突部の前面に当接する被ストッパ突部２４が突設されている。これらのストッパ突部２３と被ストッパ突部２４により、スライド部材２２及びそれに載設された主飾り台６を後限位置で停止させる後限ストッパが形成される。なお、ストッパ突部２３及び被ストッパ突部２４は、スライド部材２２及びそれに載設された主飾り台６が、ほぼ半分だけ後方に移動したとき停止される位置に設けてある。
【００３４】
基板１０の前端部上面における左右方向の中央部には、突部２５が上向きに突設され、また、飾り台６の前縁部の左右方向の中央部には、突部２５に挿脱可能に嵌合される後向きの凹部２６が形成されている。これらの突部２５と凹部２６とにより、飾り台６を前限の使用位置において回り止めする回り止めストッパが形成される。なお、突部２５と凹部２６からなる回り止めストッパの代わりに、図６の２点鎖線で示すように、基板１０の前端部上面に左右１対の回り止めストッパ２７、２７を上向きに突設し、この回り止めストッパ２７，２７に、主飾り台６の底面板６ｂの左右両端部の前面が当接することにより、飾り台６が前限の使用位置において回り止めされるようにしてもよい。
【００３５】
次に、実施例２の祭壇装置１の使用例について説明する。主飾り台６の前面板６ａに掛けられた掛軸９等の飾り物を交換する必要性が生じた場合には、図７に示すように、まず、ガイドレール２１，２１に嵌合されたスライド部材２２及びそれに回転台１１を介して載設された主飾り台６を後方に移動させる。この際、基板１０下面に設けられたストッパ突部２３に、スライド部材２２の下面に設けた被ストッパ突部２４が当接することにより、スライド部材２２及び主飾り台６は、ほぼ半分だけ後方に移動した後限位置で停止させることができる。従って、誤って主飾り台６を落下させるおそれはない。
【００３６】
スライド部材２２及び主飾り台６を後限位置で停止させた状態で、実施例１と同様に、回転台１１に載設されている主飾り台６を１８０度回転させ、前面板６ａを後方に向ければ、掛軸９等を容易に交換することができる。その際、実施例１と同様に、主飾り台６は、回転板１１に設けたストッパ機構１４により回り止めすることができるので、交換作業を安全に行うことができる。
【００３７】
掛軸９等の交換後に主飾り台６を１８０度回転させ、スライド部材２２と共に主飾り台６を前限まで移動させると、基板１０の突部２５に主飾り台６の凹部２６が嵌合され、飾り台６は前限の定位置において回り止めされる。
【００３８】
実施例２の祭壇装置１においては、主飾り台６を後方に移動させてから回転させうるので、実施例１の祭壇装置１に比して掛軸９等の交換作業は容易となる。
【００３９】
以上、本発明の祭壇装置を実施例に基づいて説明したが、具体的な構成はこの実施例に限定されるものではなく、発明の要旨を逸脱しない範囲内で、次のような種々の変形や変更があっても、本発明に含まれる。
【００４０】
例えば、前記実施例１及び実施例２では、第３祭壇４の上面に載置される基板１０に、凹部１２，２０や回転台１１及びガイドレール２１を設けているが、それらを第３祭壇４の上面に直接設け、基板１０を省略して実施することもある。
【００４１】
また、前記実施例２では、ガイドレール２１，２１にスライド部材２２を直接嵌合しているが、ガイドレール２１，２１に可動レールを嵌合し、両可動レールにスライド部材２２を取付けてもよい。この際、２段構造の可動レールを用いれば、主飾り台６の後方への移動量を大とすることができる。
【００４２】
さらに、前記実施例１及び実施例２では、基板１０に凹部１２，２０を設けているが、このような凹部１２，２０を省略して、回転板１１やガイドレール２１を、基板１０の上面に直接取付けるようにしてもよい。
【００４３】
また、副飾り台７，７を回転不能な状態で第３祭壇に着脱可能に固定する構造とすることで、副飾り台７，７を主飾り台６の回り止めストッパとして用いてもよい。
【符号の説明】
【００４４】
１                葬祭用祭壇装置
２                第１祭壇
３                第２祭壇
４                第３祭壇
５                遺影写真
６                主飾り台(飾り台)
６ａ              前面板
６ｂ              底板
７                副飾り台
８                灯具セット
９                掛軸(飾り物)
１０              基板
１１              回転台
１１ａ            下部回転板
１１ｂ            上部回転板
１１ｃ            鋼球
１２              凹部
１３              ねじ
１４              ストッパ機構
１５              凹孔
１６              ボール保持筒
１７              ボール
１８              圧縮コイルばね
１９              凹溝
２０              凹部
２１              ガイドレール
２２              スライド部材
２３              ストッパ突部(後限ストッパ)
２４              被ストッパ突部(後限ストッパ)
２５              突部(回り止めストッパ)
２６              凹部(回り止めストッパ)
２７              回り止めストッパ
【図１】
2019170882.tif 000003
【図２】
2019170882.tif 000004
【図３】
2019170882.tif 000005
【図４】
2019170882.tif 000006
【図５】
2019170882.tif 000007
【図６】
2019170882.tif 000008
【図７】
2019170882.tif 000009